(57)【特許請求の範囲】
【請求項１】
一方の端部側から他方の端部側にかけて少なくとも３つに着脱可能に分割された分割体を有するルアーであって、
前記一方の端部側の第１分割体には雄状結合部が設けられており、
前記他方の端部側の第２分割体には前記雄状結合部と結合可能な雌状結合部が設けられており、
前記第１分割体と前記第２分割体の間に位置する第３分割体には、一端側に前記雄状結合部が設けられ、他端側に前記雌状結合部が設けられており、
前記各分割体には、錘部材を挿入可能な空間の開口が前記雄状結合部又は前記雌状結合部に設けられており、
前記空間の開口は、前記各分割体同士が結合されていない状態で露出し、前記空間は、少なくとも前記第１分割体と前記第２分割体を含む分割体同士が結合された状態で密閉されるように構成されており、
前記第１分割体と前記第２分割体の間に前記第３分割体が幾つ結合されて組み立てられるかによって当該ルアーの長さが調整可能であるように構成されていることを特徴とするルアー。
【請求項２】
前記各分割体は、前記雄状結合部または前記雌状結合部が設けられている端面の輪郭が同じ形状を有するように形成されており、
前記各分割体が結合された状態で、隣り合う分割体の表面は略面一となるように構成されていることを特徴とする請求項１に記載のルアー。
【発明の詳細な説明】
【技術分野】
【０００１】
本発明は、魚釣りに用いるルアーに関する。
【背景技術】
【０００２】
釣り具のルアーには、水に浮くもの、水中を漂うもの、ゆっくり沈むもの、早く沈むものなど各種あり、狙う魚のいる深度に対応するように何種類ものルアーを持ち運ぶ必要があるため、かさばってしまうことがある。
そのため、１つのルアーで様々な深度に対応できるように、重量の違うビスを付け替えることで、ルアーの重さを調整可能にした技術が提案されている（例えば、特許文献１参照。）。
【先行技術文献】
【特許文献】
【０００３】
【特許文献１】特開２０１２−２４０６５号公報
【発明の概要】
【発明が解決しようとする課題】
【０００４】
しかしながら、釣り人は、狙う魚に応じて様々な大きさのルアーも持ち運ぶ必要もあるので、上記特許文献１の技術のように、ルアーの重さを調整するだけではなく、ルアーの大きさも調整したいという要望がある。
【０００５】
本発明の目的は、大きさと重さをそれぞれ調整できるルアーを提供することである。
【課題を解決するための手段】
【０００６】
以上の課題を解決するため、請求項１に記載の発明は、
一方の端部側から他方の端部側にかけて少なくとも３つに着脱可能に分割された分割体を有するルアーであって、
前記一方の端部側の第１分割体には雄状結合部が設けられており、
前記他方の端部側の第２分割体には前記雄状結合部と結合可能な雌状結合部が設けられており、
前記第１分割体と前記第２分割体の間に位置する第３分割体には、一端側に前記雄状結合部が設けられ、他端側に前記雌状結合部が設けられており、
前記各分割体には、錘部材を挿入可能な空間の開口が前記雄状結合部又は前記雌状結合部に設けられており、
前記空間の開口は、前記各分割体同士が結合されていない状態で露出し、前記空間は、少なくとも前記第１分割体と前記第２分割体を含む分割体同士が結合された状態で密閉されるように構成されており、
前記第１分割体と前記第２分割体の間に前記第３分割体が幾つ結合されて組み立てられるかによって当該ルアーの長さが調整可能であるように構成されていることを特徴とする。
【０００７】
請求項２に記載の発明は、請求項１に記載のルアーにおいて、
前記各分割体は、前記雄状結合部または前記雌状結合部が設けられている端面の輪郭が同じ形状を有するように形成されており、
前記各分割体が結合された状態で、隣り合う分割体の表面は略面一となるように構成されていることを特徴とする。
【発明の効果】
【０００９】
本発明によれば、大きさと重さをそれぞれ調整できるルアーが得られる。
【図面の簡単な説明】
【００１０】
【図１】本実施形態のルアーを示す側面図（ａ）（ｂ）である。
【図２】本実施形態のルアーを示す分解斜視図である。
【図３】本実施形態のルアーの大きさや重さの調整に関する説明図（ａ）（ｂ）である。
【図４】本実施形態のルアーの色の変更に関する説明図（ａ）（ｂ）（ｃ）である。
【図５】本実施形態のルアーの変形例を示す側面図である。
【発明を実施するための形態】
【００１１】
以下、図面を参照して、本発明に係るルアーの実施形態について詳細に説明する。但し、以下に述べる実施形態には、本発明を実施するために技術的に好ましい種々の限定が付されているが、本発明の範囲を以下の実施形態及び図示例に限定するものではない。
【００１２】
本実施形態のルアー１０は、例えば、図１（ａ）（ｂ）、図２に示すように、一方の端部側（ここでは頭部側）から他方の端部側（ここでは尾部側）にかけて少なくとも３つ（本実施形態では４つ）に着脱可能に分割された分割体（１１，１２，１３）を有している。
具体的には、本実施形態のルアー１０は、一方の端部側の第１分割体１１と、他方の端部側の第２分割体１２と、第１分割体１１と第２分割体１２の間に位置する２つの第３分割体１３を有している。
【００１３】
このルアー１０の頭部に相当する第１分割体１１には、ライン（リーダー糸）５が繋がれるラインアイ６と、フック７が取り付けられるフックアイ８が設けられている。
また、このルアー１０の尾部に相当する第２分割体１２には、フック７が取り付けられるフックアイ８が設けられている。
なお、図中のフック７は、シングルフックであるが、ダブルフックやトレブルフックであってもよい。
【００１４】
第１分割体１１には雄状結合部１が設けられている。
第２分割体１２には雄状結合部１と結合可能な雌状結合部２が設けられている。
第３分割体１３には、一端側に雄状結合部１が設けられ、他端側に雌状結合部２が設けられている。
雄状結合部１は雄ネジ状の結合部であり、雌状結合部２は雌ネジ状の結合部であり、雄状結合部１と雌状結合部２を螺合することで、分割体（１１，１２，１３）同士を結合することができる。
ここでの各分割体（１１，１２，１３）は、例えばタングステンなどの金属製のパーツであり、雄状結合部１と雌状結合部２も金属製の雄ネジと雌ネジであるので、各分割体（１１，１２，１３）を強固に螺着して結合できる。
なお、雄状結合部１と雌状結合部２の結合様式はネジ式であることに限らず、例えば、ガス栓とガス器具の接続に利用されているコンセント継手や、水道とホースの接続に利用されているホースジョイントのような結合様式であってもよい。
【００１５】
また、各分割体（１１，１２，１３）には、錘部材１５（図２参照）を挿入可能な空間３が設けられている。
つまり、第１分割体１１と第２分割体１２の間に２つの第３分割体１３が結合されてなるルアー１０（図１（ａ）参照）の場合、錘部材１５を４つまで取り付けることができる。
この錘部材１５は、例えば、鉛やタングステンなどの金属製の部材であり、各分割体（１１，１２，１３）の空間３に着脱自在とされている。
【００１６】
各分割体（１１，１２，１３）の空間３は、各分割体（１１，１２，１３）が結合された状態で、ルアー１０の長手方向に沿って連通するように形成されている。
この空間３は、少なくとも第１分割体１１と第２分割体１２を含む分割体同士が結合されてルアー１０が組み立てられた状態で密閉されるように構成されている。
具体的には、雄状結合部１の基部にはＯリング（オーリング）などのパッキンＰが取り付けられており、雄状結合部１と雌状結合部２が螺合した際にそのパッキンＰが押しつぶされて隙間を塞ぐようになっており、各分割体（１１，１２，１３）が結合されてなるルアー１０内部の空間３が密閉されるようになっている。
【００１７】
そして、このような着脱可能な分割体（１１，１２，１３）を有しているルアー１０であれば、第１分割体１１と第２分割体１２の間に幾つの第３分割体１３を結合してルアー１０を組み立てるかによって、そのルアー１０の大きさを調整することができる。
例えば、第１分割体１１と第２分割体１２の間に第３分割体１３を結合せず、第１分割体１１と第２分割体１２を結合してルアー１０を組み立てた場合、図３（ａ）に示すように短尺なルアー１０とすることができる。
また、第１分割体１１と第２分割体１２の間に第３分割体１３を１つ結合してルアー１０を組み立てた場合、図３（ｂ）に示すように中尺なルアー１０とすることができる。
また前述したように、第１分割体１１と第２分割体１２の間に第３分割体１３を２つ結合してルアー１０を組み立てた場合、図１（ａ）に示すように長尺なルアー１０とすることができる。
なお、各分割体（１１，１２，１３）を結合する際に、隣り合う分割体の表面が略面一となる位置でカチッと止まるように、クリックモーションなどを利用したズレ防止機構（位置決め機構）が設けられていることが好ましい。
【００１８】
特に、各分割体（１１，１２，１３）において、雄状結合部１または雌状結合部２が設けられている端面４の輪郭は同じ形状を有しており、各分割体（１１，１２，１３）が結合された状態で、隣り合う分割体の表面は略面一となるように構成されているので、短尺なルアー１０であっても、中尺なルアー１０であっても、長尺なルアー１０であっても、どのルアー１０の表面にも段差はなく、どれも好適な魚形を呈するようになっている。
【００１９】
このように、本実施形態のルアー１０は、第１分割体１１と第２分割体１２と第３分割体１３の結合態様に応じて、そのルアー１０の大きさ（長さ）を調整することができる。
さらに、各分割体（１１，１２，１３）が結合されてなるルアー１０の内部の空間３に取り付ける錘部材１５の数に応じて、そのルアー１０の重さを調整することができる。
つまり、本実施形態のルアー１０であれば、大きさと重さをそれぞれ調整することができる。
【００２０】
例えば、図３（ａ）に示した短尺なルアー１０の場合、錘部材１５を２つまで取り付けることができるので、錘部材１５なし、錘部材１５一つ、錘部材１５二つの３段階の重さに調整できる。
また、図３（ｂ）に示した中尺なルアー１０の場合、錘部材１５を３つまで取り付けることができるので、錘部材１５なし、錘部材１５一つ、錘部材１５二つ、錘部材１５三つの４段階の重さに調整できる。
また、図１（ａ）に示した長尺なルアー１０の場合、錘部材１５を４つまで取り付けることができるので、錘部材１５なし、錘部材１５一つ、錘部材１５二つ、錘部材１５三つ、錘部材１５四つの５段階の重さに調整できる。
なお、ルアー１０の内部の空間３に錘部材１５を取り付けない場合、各分割体（１１，１２，１３）が結合されて密閉されている空間３には空気が封入されているので、ルアー１０に浮力が作用し易くなる。
このように、同じ大きさ（長さ）であって重さが違うルアー１０であれば、水中を沈降する速さが異なるので、錘部材１５の数を多くして早く沈むように調整したり、錘部材１５の数を少なくしてゆっくり沈むように調整したりすることができる。
【００２１】
また、例えば、図３（ｂ）に示した中尺なルアー１０の内部の空間３に錘部材１５を一つ取り付ける場合、第１分割体１１の空間３に錘部材１５を取り付けると、そのルアー１０は頭部に相当する第１分割体１１側が下に傾いた姿勢で水中を沈降するようになり、第２分割体１２の空間３に錘部材１５を取り付けると、そのルアー１０は尾部に相当する第２分割体１２側が下に傾いた姿勢で水中を沈降するようになる。
このように、各分割体（１１，１２，１３）が結合されてなるルアー１０において、どの分割体（１１，１２，１３）の空間３に錘部材１５を取り付けるかによって、そのルアー１０の水中での姿勢を調整することができる。
【００２２】
また、例えば、図４（ａ）に示すように、第１分割体１１と第２分割体１２の間に２つの第３分割体１３が結合されてなるルアー１０が、色違いのオプションとして、２つの第３分割体１３と１つの第２分割体１２を備えるようにしてもよい。
このような色違いの分割体（１３，１２）を備えていれば、図４（ｂ）に示すように、ライン５を第１分割体１１から外すことなく、速やかに色違いの分割体（１３，１２）に付け替えるようにして、色違いのルアー１０に変更することができる。
また、例えば、図４（ｃ）に示すように、基本とするルアー１０の第３分割体１３や第２分割体１２と、色違いの第３分割体１３や第２分割体１２の組み合わせを変更することによって、様々なカラーバリエーションのルアー１０に変更することができる。
【００２３】
なお、基本とするルアー１０に加え、色違いのオプションとして２つの第３分割体１３と１つの第２分割体１２を備える場合、そのオプションとしての分割体（１３，１２）用の錘部材１５は不要である。
具体的には、基本とするルアー１０の４つの分割体（１１，１２，１３）用に４つの錘部材１５を備えていれば、色違いのオプション（分割体（１３，１２））に付け替える場合に、取り外した分割体（１３，１２）に装着されていた錘部材１５を使うことができるので、本実施形態のルアー１０は、４つの錘部材１５を備えていればよく、オプション用の錘部材１５は備えていなくてもよい。
つまり、色違いのオプション（分割体（１３，１２））を幾つ備えようとも、錘部材１５は４つあればよく、錘部材１５の数は増やす必要がないので、１つのルアー１０と複数のオプション（分割体（１３，１２））を持ち運ぶ際の重量を軽減することができる。
また、色違いのオプション（分割体（１３，１２））用の錘部材１５を削減することで、その製造コストを抑えることもできる。
【００２４】
また、本発明は上記実施形態に限られるものではない。
上記実施形態では、金属製の分割体（１１，１２，１３）を結合してなる金属製のルアー１０を例に説明したが、ルアー１０（分割体（１１，１２，１３））の素材に樹脂材料を用いるようにしてもよい。
【００２５】
例えば、図５に示すように、金属製の骨組部材１１ａに樹脂材料製の分割体本体１１ｂが固定されている第１分割体１１と、金属製の骨組部材１２ａに樹脂材料製の分割体本体１２ｂが固定されている第２分割体１２と、金属製の骨組部材１３ａに樹脂材料製の分割体本体１３ｂが固定されている第３分割体１３と、を有するルアー１０であってもよい。
【００２６】
樹脂材料製の分割体本体（１１ｂ，１２ｂ，１３ｂ）は、例えば、発泡ポリウレタンからなる芯材の外側に強化プラスチック（例えばFRP(Fiber Reinforced Plastics)）からなる外被を設けたものである。
このような分割体本体（１１ｂ，１２ｂ，１３ｂ）を備えている各分割体（１１，１２，１３）は、水に浮くように設計されている。
【００２７】
また、第１分割体１１の骨組部材１１ａには、雄状結合部１とラインアイ６とフックアイ８が設けられている。
また、第２分割体１２の骨組部材１２ａには、雌状結合部２とフックアイ８が設けられている。
また、第３分割体１３の骨組部材１３ａには、雄状結合部１と雌状結合部２が設けられている。
雄状結合部１と雌状結合部２が、金属製の骨組部材（１１ａ，１２ａ，１３ａ）に設けられているので、各分割体（１１，１２，１３）を強固に螺着して結合できる。
【００２８】
このように、金属製の骨組部材（１１ａ，１２ａ，１３ａ）に樹脂材料製の分割体本体（１１ｂ，１２ｂ，１３ｂ）が固定された分割体（１１，１２，１３）を有するルアー１０は、水に浮くタイプのルアー１０として使用できる。
また、このルアー１０の空間３に所定の錘部材１５を取り付けることで、水面でのルアー１０の姿勢を安定させたり、ルアー１０の飛距離を伸ばしたりすることができる。
【００２９】
以上のように、本実施形態のルアー１０は、雄状結合部１が設けられている第１分割体１１と、雄状結合部１と結合可能な雌状結合部２が設けられている第２分割体１２と、一端側に雄状結合部１が設けられ、他端側に雌状結合部２が設けられている第３分割体１３を有しているので、第１分割体１１と第２分割体１２の間に結合する第３分割体１３の数に応じて、そのルアー１０の大きさ（長さ）を調整することができる。
また、各分割体（１１，１２，１３）に設けられている空間３に錘部材１５を取り付けるか否か選択することで、そのルアー１０の重さを調整することができる。例えば、同じ大きさ（長さ）であって重さの異なるルアー１０を組み立てて使用することができる。
【００３０】
つまり、このようなルアー１０であれば、様々な大きさのルアーや、様々な重さのルアーを持ち運ぶ必要がないので、持ち運ぶ釣り具がかさばらず、その重量を軽減することができる。
【００３１】
なお、以上の実施の形態においては、第１分割体１１と第２分割体１２の間に２つの第３分割体１３を結合してなるルアー１０を例に説明したが、本発明はこれに限定されるものではなく、第１分割体１１と第２分割体１２の間に結合される第３分割体１３の数は任意であり、第１分割体１１と第２分割体１２の間に３つ以上の第３分割体１３を結合したルアー１０であってもよい。
【００３２】
また、以上の実施の形態においては、各分割体（１１，１２，１３）の空間３は、各分割体（１１，１２，１３）が結合された状態で、ルアー１０の長手方向に沿って連通するように形成されているとしたが、本発明はこれに限定されるものではなく、例えば、第３分割体１３の空間３の一方の開口が塞がれている態様であってもよい。
【００３３】
また、以上の実施の形態においては、頭部に相当する第１分割体１１に雄状結合部１が設けられ、尾部に相当する第２分割体１２に雌状結合部２が設けられているルアー１０を例に説明したが、第１分割体１１に雌状結合部２が設けられ、第２分割体１２に雄状結合部１が設けられているように、雄雌を逆にしてもよい。
【００３４】
また、その他、具体的な細部構造等についても適宜に変更可能であることは勿論である。
【符号の説明】
【００３５】
１０    ルアー
１１    第１分割体
１２    第２分割体
１３    第３分割体
１５    錘部材
１      雄状結合部
２      雌状結合部
３      空間
４      端面
５      ライン
６      ラインアイ
７      フック
８      フックアイ
Ｐ      パッキン
【要約】
【課題】大きさと重さをそれぞれ調整できるルアーを実現する。
【解決手段】雄状結合部１が設けられている第１分割体１１と、雄状結合部１と結合可能な雌状結合部２が設けられている第２分割体１２と、一端側に雄状結合部１が設けられ、他端側に雌状結合部２が設けられている第３分割体１３を結合してなるルアー１０であれば、第１分割体１１と第２分割体１２の間に結合する第３分割体１３の数に応じてその大きさ（長さ）を調整することができる。また、各分割体（１１，１２，１３）に設けられている空間３に錘部材１５を取り付けるか否か調整することで、そのルアー１０の重さを調整することができる。
【選択図】図２【図１】
0006651193.tif 000002
【図２】
0006651193.tif 000003
【図３】
0006651193.tif 000004
【図４】
0006651193.tif 000005
【図５】
0006651193.tif 000006